(57)【特許請求の範囲】
【請求項１】
被検対象物内に長手軸方向の先端側から挿入される挿入部と、
前記挿入部の先端部分に設けられた方向変換部と、
前記方向変換部に接続され、牽引、弛緩によって前記方向変換部を可動する長尺部材と、
前記長尺部材が挿通する案内管と、
前記案内管に挿入され、前記長尺部材に接続可能な摺動部材と、
前記摺動部材の先端側に設けられ、該摺動部材の外周方向に突出して形成されることで、前記案内管の内面に接触する第１の接触部と、
前記第１の接触部よりも基端側に設けられ、前記案内管と前記摺動部材の間に設けられた第２の接触部と、
前記案内管の内面と前記摺動部材の外周面によって規定されるクリアランスと、
前記摺動部材に設けられ、当該摺動部材の内部を長手軸方向に沿って設けられ前記案内管の内部を洗浄する流体を流通させる第１の流路と、当該第１の流路の先端側に連通して当該摺動部材の長手軸に交わる方向に延設した第２の流路と、前記クリアランス内に前記流体が流入するように、前記第１の接触部と前記第２の接触部との間において前記第２の流路の端部に形成された開口部と、を有する流路と、
前記摺動部材を前記案内管に対して進退させる操作部材と、
を具備することを特徴とする内視鏡。
【請求項２】
前記第１の接触部は外表面が前記案内管に略面接触することを特徴とする請求項１に記載の内視鏡。
【請求項３】
前記開口部は、前記摺動部材の外周面上に形成されていることを特徴とする請求項１に記載の内視鏡。
【請求項４】
前記開口部は、前記第１の接触部の外周面上に形成されていることを特徴とする請求項１に記載の内視鏡。
【請求項５】
前記第２の流路は、前記摺動部材の中心回りに略等間隔に形成されていることを特徴とする請求項１に記載の内視鏡。
【請求項６】
前記第１の流路は、前記摺動部材を貫通して設けられ、
前記第２の流路は、前記第１の流路の途中から分岐して前記摺動部材の外周面における前記第１の接触部と前記第２の接触部との間に連通する
ことを特徴とする請求項１に記載の内視鏡。
【請求項７】
前記方向変換部は、処置具の射出方向を変えることを特徴とする請求項１に記載の内視鏡。
【発明の詳細な説明】
【技術分野】
【０００１】
本発明は、特に、ワイヤを進退するピストンを有する内視鏡に関する。
【背景技術】
【０００２】
従来、医療用分野においては、細長の挿入部を体腔内に挿入することにより、体腔内臓器などを観察することが出来る内視鏡が広く用いられている。体腔内臓器などの観察画像をモニターに表示させる場合には、内視鏡挿入部先端または後端の撮像部に電荷結合素子（ＣＣＤ）などの固体撮像素子を配設した内視鏡などが用いられている。【０００３】
内視鏡に設けた撮像素子から出力される信号は、電子内視鏡、外付けカメラなどとは別体の内視鏡の外部機器である画像処理装置によって映像信号化されてモニターに出力される。そして、別体に構成された電子内視鏡と画像処理装置との間は、内視鏡用コネクタを介して接続される。【０００４】
このような内視鏡は、例えば、国際公開ＷＯ２０００−０１３５６９Ａ１公報に開示されている。この従来の内視鏡は、側視型内視鏡であって、操作部において突没操作されるピストンを有し、このピストンに接続されたワイヤの進退移動により、挿入部の先端部に設けられた起上台を起伏する技術が開示されている。【０００５】
しかしながら、従来の内視鏡は、ピストンが進退するシリンダなどの管路内を洗浄するときに、シリンダの内周に接触するピストンの摺動部のクリアランスが小さいため、使用前後の洗浄が困難であるという課題がある。このピストンの摺動部を十分に洗浄するには、複数回の送液が必要となり、作業が非常に煩雑であるという課題があった。【０００６】
また、洗浄性の向上のため、シリンダに対するピストンの摺動部のクリアランスを大きくすると、ピストンがガタつき、スムーズな操作が行えないという問題が生じる。【０００７】
そこで、本発明は、上記事情に鑑みなされたものあり、ワイヤなどが接続されるピストンとシリンダとの摺動部を容易に洗浄できる内視鏡を提供することを目的とする。
【発明の開示】
【課題を解決するための手段】
【０００８】
本発明の一態様における内視鏡は、被検対象物内に長手軸方向の先端側から挿入される挿入部と、前記挿入部の先端部分に設けられた方向変換部と、前記方向変換部に接続され、牽引、弛緩によって前記方向変換部を可動する長尺部材と、前記長尺部材が挿通する案内管と、前記案内管に挿入され、前記長尺部材に接続可能な摺動部材と、前記摺動部材の先端側に設けられ、該摺動部材の外周方向に突出して形成されることで、前記案内管の内面に接触する第１の接触部と、前記第１の接触部よりも基端側に設けられ、前記案内管と前記摺動部材の間に設けられた第２の接触部と、前記案内管の内面と前記摺動部材の外周面によって規定されるクリアランスと、前記摺動部材に設けられ、当該摺動部材の内部を長手軸方向に沿って設けられ前記案内管の内部を洗浄する流体を流通させる第１の流路と、当該第１の流路の先端側に連通して当該摺動部材の長手軸に交わる方向に延設した第２の流路と、前記クリアランス内に前記流体が流入するように、前記第１の接触部と前記第２の接触部との間において前記第２の流路の端部に形成された開口部と、を有する流路と、前記摺動部材を前記案内管に対して進退させる操作部材と、を具備する。
【図面の簡単な説明】
【０００９】
【図１】第１の実施の形態の内視鏡の構成を示す側面図
【図２】同、シリンダとピストンの構成を主に示す部分断面図
【図３】同、シリンダに挿入されたピストンの構成を示す断面図
【図４】同、図３のＩＶ−ＩＶ線断面図
【図５】同、シリンダに挿入されたピストンのチャンネルに連通する連通路が２つの構成を示す断面図
【図６】同、シリンダに挿入されたピストンのチャンネルに連通する連通路が６つの構成を示す断面図
【図７】同、ピストンのチャンネルに洗浄液が送液された状態を示す断面図
【図８】同、変形例のシリンダに挿入されたピストンの構成を示す断面図
【図９】第２の実施の形態のシリンダに挿入されたピストンの構成を示す断面図
【図１０】同、シリンダ内に洗浄液が送液された状態を示す断面図
【図１１】同、第１の変形例のシリンダに挿入されたピストンの構成を示す断面図
【図１２】同、第１の変形例のシリンダ内に洗浄液が送液された状態を示す断面図
【図１３】同、連通孔に口金を設けて栓部材を配した構成を示す断面図
【図１４】同、連通孔に逆止弁付きの口金を設けた構成を示す断面図
【図１５】第３の実施の形態のシリンダに挿入されたピストンの構成を示す断面図
【図１６】同、シリンダ内に洗浄液が送液された状態を示す断面図
【図１７】同、第１の変形例のシリンダ内に洗浄液が送液された状態を示す断面図
【図１８】同、第１の変形例のシリンダ内に洗浄液が送液された状態を示す断面図
【図１９】同、第２の変形例のシリンダ内に洗浄液が送液された状態を示す断面図
【図２０】同、第３の変形例のシリンダ内に洗浄液が送液された状態を示す断面図
【発明を実施するための最良の形態】
【００１０】
ここでは、内視鏡の一態様を例に挙げて説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。  
また、以下の構成説明における内視鏡は、生体の上部または下部の消化器官などに挿入するため挿入部に可撓性のある所謂軟性鏡を例に挙げて説明するが、これに限定されることなく、外科用に用いられる挿入部が硬質な所謂硬性鏡にも適用できる技術である。【００１１】
（第１の実施の形態）
以下、本発明の一態様の内視鏡について、図面に基づいて説明する。  
なお、図１は、内視鏡の構成を示す側面図、図２はシリンダとピストンの構成を主に示す部分断面図、図３はシリンダに挿入されたピストンの構成を示す断面図、図４は図３のＩＶ−ＩＶ線断面図、図５はシリンダに挿入されたピストンのチャンネルに連通する連通路が２つの構成を示す断面図、図６はシリンダに挿入されたピストンのチャンネルに連通する連通路が６つの構成を示す断面図、図７はピストンのチャンネルに洗浄液が送液された状態を示す断面図である。【００１２】
本実施の形態の内視鏡２は、挿入部５と、操作部６と、ユニバーサルケーブル７とを有している。挿入部５は、観察対象部位へ長手軸方向の先端側から挿入される細長な長尺部材である。挿入部５は、先端部８と、湾曲部９と、可撓管部１０とを連設して構成されている。【００１３】
先端部８にはライトガイドを備える照明光学系、撮像装置を備える撮像光学系が内蔵され、先端面にはノズル、処置具導出口を兼用する吸引口が設けられている（何れも不図示）。【００１４】
この先端部８には、挿入部５の挿入方向に対して、所定の角度を有する観察窓および照明窓が設けられており、処置具を起上して観察方向に変換する方向変換部としての起上台４２が配設されている。【００１５】
この起上台４２は、挿入部５および操作部６内に挿通される長尺部材であるワイヤ４１に接続されている。このワイヤ４１が牽引弛緩されることで起上台４２の起伏操作がなされる。【００１６】
湾曲部９は、例えば上下左右の四方向に湾曲自在に構成されている。可撓管部１０は、長尺で可撓性を有する管状部材である。【００１７】
操作部６は、把持部６ａを備え、この把持部６ａが挿入部５の基端部に連設しており、処置具挿入口６ｂが配設されている。【００１８】
操作部６には、湾曲操作部１１、送気送水ボタン１３、吸引ボタン１４などが設けられている。また、操作部６には、操作部材としての起上台操作レバー２１が設けられ、この起上台操作レバー２１の操作に連動する操作部材としてのリンク部材２２によって方向変換機構部であるピストン５１が突没（進退）する。このピストン５１については、後で詳しく説明する。【００１９】
湾曲操作部１１は、湾曲部９の湾曲操作を行うための湾曲操作ノブ１１ａと、この湾曲操作ノブ１１ａを所望の回転位置で固定するための固定レバー１１ｂとを有している。【００２０】
ユニバーサルケーブル７は、操作部６の側面より延出されている。ユニバーサルケーブル７の端部には外部機器である光源装置に接続される内視鏡コネクタ３０が設けられている。この内視鏡コネクタ３０は、側部から信号伝達ケーブル３３が延設されている。信号伝達ケーブル３３の他端側には、ビデオプロセッサに接続される電気コネクタ３４が設けられている。【００２１】
ここでの摺動部材としてのピストン５１は、図２に示すように、案内管としてのシリンダ４５に挿入されている。このピストン５１は、基端側の中途部分にリンク部材２２の端部が回動自在に設けられた保持環２３が固定されている。【００２２】
ピストン５１の長手軸方向の基端側には、周溝が形成された小径の接続端部５２が設けられ、この接続端部５２を封止する着脱自在なキャップ２４が螺着などにより配設される。ピストン５１の先端中央には、ワイヤ接続部４３が圧入、螺着などによって設けられ、このワイヤ接続部４３に端部が固定保持されたワイヤ４１が先端側に向けてシリンダ４５内に挿通されている。【００２３】
なお、ここでは、ワイヤ４１が接続されたピストン５１とシリンダ４５によって、起上台４２を起伏して、処置具の方向を変換する方向変換機構部が構成されている。【００２４】
ピストン５１の先端部分には、第１の接触部として、シリンダ４５の内面４５ａに接触して摺動する外周方向に突出形成された摺動部５３と、摺動部５３よりも長手軸方向の基端側に配置される第２の接触部として、水密部材であるシールとしてのＯリング５４と、ピストン５１の長手軸に対して交わる方向に向けて形成された、複数、ここでは４つの開口部５５と、を有している。【００２５】
摺動部５３は、図３に示すように、外周面となる摺動面５３ａがシリンダ４５の内面４５ａに略面接触しており、ピストン５１が進退移動するときにシリンダ４５に対して直進ガイドされる。Ｏリング５４は、シリンダ４５の内面４５ａに密着して先端側のシリンダ４５内に水密保持する。【００２６】
４つの開口部５５は、図４に示すように、ここでの流路であるピストン５１の中心軸に沿って内部に形成された流路としてのチャンネル５６ａに連通し、ピストン５１の中心回りに９０度の等間隔で放射状に穿設された流路としての４つの連通路５６ｂの各開口であり、摺動部５３とＯリング５４の間におけるピストン５１の外周面に形成されている。即ち、ピストン５１は、チャンネル５６ａおよび４つの連通路５６ｂを有する管状部材である。【００２７】
なお、連通路５６ｂは、図５に示すように、ピストン５１の中心回りに１８０度の等間隔（中心点対称）の位置に２つ形成して開口部５５が２つ設けられた構成としてもよいし、図６に示すように、６０度の等間隔に放射状に６つ形成して開口部５５が６つ設けられた構成としてもよい。また、連通路５６ｂおよび開口部５５は、１つでもよいし、必ずしもピストン５１の中心回りの等間隔に設けなくてもよい。【００２８】
このように構成されたピストン５１は、内視鏡１の洗浄時において、図７に示すように、接続端部５２にチューブ６０が接続され、図示しないシリンジによってシリンダ４５の内部等を洗浄するための流体である洗浄液Ｒがチャンネル５６ａ内に供給される。【００２９】
チャンネル５６ａ内に供給された洗浄液Ｒは、４つの連通路５６ｂに流れ、各開口部５５からピストン５１の外周部に流出する。【００３０】
流出した洗浄液Ｒは、基端側へはＯリング５４によって流れが止められ、シリンジによる供給圧力により、先端側の摺動部５３とシリンダ４５の内面４５ａとの隙間に入り込む。そして、洗浄液Ｒは、摺動部５３の摺動面５３ａ全体を基端側から先端側に向けて洗浄しながらピストン５１よりも先端側のシリンダ４５内に流れる。【００３１】
このようにして、本実施の形態では、ピストン５１のガタが生じないように、摺動部５３の摺動面５３ａとシリンダ４５の内面４５ａとの間の小さなクリアランスを保つことができ、このクリアランスが小さくても、内面４５ａと摺動部５３の摺動面５３ａとの間に洗浄液Ｒを通過させて洗浄することができる。【００３２】
なお、この洗浄液Ｒを送液しながら、ピストン５１を進退させることで、より洗浄性が高まる。従って、洗浄液Ｒを何度も送液しなくてもよくなり、洗浄作業が煩雑とならず容易に行える。【００３３】
以上の説明から、本実施の形態の内視鏡１は、シリンダ４５とのピストン５１の摺動部５３を容易に洗浄できる構成とすることができる。【００３４】
（変形例）
図８は、変形例のシリンダに挿入されたピストンの構成を示す断面図である。  
図８に示すように、ピストン５１の摺動部５３の摺動面５３ａ上、つまり第１の接触部である摺動部５３の端部と第２の接触部であるＯリング５４との間に開口部５５が形成されるように、連通路５６ｂを形成してもよい。なお、ここでの連通路５６ｂおよび摺動面５３ａに形成される開口部５５も、上記したように、４つ、２つ、６つ、１つなど形成する数に限定されることはない。【００３５】
（第２の実施の形態）
次に、第２の実施の形態の構成について説明する。なお、本実施の形態の説明においては、上述の第１の実施の形態と同じ構成要素については同じ符号を用いてその詳細な説明を省略する。【００３６】
図９は、第２の実施の形態のシリンダに挿入されたピストンの構成を示す断面図、図１０はシリンダ内に洗浄液が送液された状態を示す断面図である。  
図９に示すように、ここでのピストン５１は、第１の実施の形態でのチャンネル５６ａおよび連通路５６ｂを有していない、例えば中実な略円柱状をしている。【００３７】
そして、ピストン５１は、先端に摺動面５３ａを有する第１の接触部である摺動部５３を有し、その近傍のピストン５１の中途部分、つまりこの摺動部５３よりも長手軸方向基端側に摺動部５３に離間した所定の距離を有して第２の接触部であるＯリング５４が設けられている。【００３８】
また、シリンダ４５は、操作部６の外装部６ｃよりも外部となる操作部６外に洗浄液Ｒを送液する流路としての複数、ここでは２つの連通孔４６が側部側から内部に向けて形成されている。これら連通孔４６には、ゴム栓などの水密部材である栓部材としての弁体４８によって封止されている。【００３９】
ピストン５１は、図１０に示すように、摺動部５３とＯリング５４の間にシリンダ４５の連通孔４６が位置するように、基端側に移動される。即ち、摺動部５３が連通孔４６よりも先端側となり、Ｏリング５４が連通孔４６よりも基端側となるようにピストン５１が移動される。【００４０】
そして、弁体４８が連通孔４６から外され、図示しないシリンジにより、洗浄液Ｒを連通孔４６から送液される。シリンダ４５内に流入された洗浄液Ｒは、基端側へはＯリング５４によって流れが止められ、ここでもシリンジによる供給圧力により、先端側の摺動部５３とシリンダ４５の内面４５ａとの隙間に入り込む。【００４１】
洗浄液Ｒは、摺動部５３の摺動面５３ａ全体を基端側から先端側に向けて洗浄しながらピストン５１よりも先端側のシリンダ４５内に流れる。なお、その他の構成および作用は第１の実施の形態と同じである。【００４２】
このような構成としても、第１の実施の形態と同様の作用効果を有した構成とすることができ、シリンダ４５とのピストン５１の摺動部５３を容易に洗浄できる内視鏡１とすることができる。【００４３】
なお、内視鏡１の使用時におけるピストン５１の可動範囲を規定することで、連通孔４６に弁体４８を設ける必要のない構成とすることもできる。即ち、内視鏡１の使用時のピストン５１の可動範囲において、ピストン５１に設けられるＯリング５４の進退移動範囲が連通孔４６よりも先端側であれば、連通孔４６に弁体４８を設ける必要がなくなる。【００４４】
（第１の変形例）
図１１は、第１の変形例のシリンダに挿入されたピストンの構成を示す断面図、図１２は第１の変形例のシリンダ内に洗浄液が送液された状態を示す断面図、図１３は連通孔に口金を設けて弁体を配した構成を示す断面図、図１４は連通孔に逆止弁付きの口金を設けた構成を示す断面図である。【００４５】
図１１に示すように、ここでのシリンダ４５には、操作部６の外装部６ｃよりも外部となる操作部６外に長手軸方向に沿って複数、ここでは合計４つの連通孔４６，４７が側部側から内部に向けて形成されている。【００４６】
これら連通孔４６，４７には、ゴム栓などの水密部材である栓部材としての弁体４８によって封止されている。なお、基端側の連通孔４６と先端側の連通孔４７は、シリンダ４５の長手軸に沿って所定の距離離間した位置に形成されている。【００４７】
また、ここでのピストン５１は、先端部分（長手軸方向の先端側）に第１の接触部として、シリンダ４５の内面４５ａに接触して摺動するＯリング５４が設けられ、このＯリング５４から所定の距離を有して、長手軸方向の基端側に向けて、シリンダ４５の内面４５ａに接触して摺動する第２の接触部としての摺動面５３ａを有する摺動部５３を有している。【００４８】
ピストン５１は、図１２に示すように、摺動部５３の端部とＯリング５４の間にシリンダ４５の連通孔４６が位置するように、基端側に移動される。ここでも、摺動部５３が連通孔４６よりも基端側となり、Ｏリング５４が連通孔４６よりも先端側となるようにピストン５１が移動される。さらに、Ｏリング５４は、連通孔４６，４７の間に位置するようにピストン５１が移動される。【００４９】
そして、弁体４８が連通孔４６，４７から外され、図示しないシリンジにより、洗浄液Ｒを連通孔４６，４７から送液される。【００５０】
基端側の連通孔４６からシリンダ４５内に流入された洗浄液Ｒは、先端側へはＯリング５４によって流れが止められ、ここでもシリンジによる供給圧力により、基端側の摺動部５３とシリンダ４５の内面４５ａとの隙間に入り込む。洗浄液Ｒは、摺動部５３の摺動面５３ａ全体を先端側から基端側に向けて洗浄しながらシリンダ４５外に流れる。【００５１】
また、先端側の連通孔４７からシリンダ４５内に流入された洗浄液Ｒは、シリンダ４５の先端側に流れる。なお、その他の構成および作用は第１の実施の形態と同じである。【００５２】
このような構成としても、第１の実施の形態と同様の作用効果を有した構成とすることができ、シリンダ４５とのピストン５１の摺動部５３を容易に洗浄できる内視鏡１とすることができる。【００５３】
なお、図１３に示すように、連通孔４６（４７）に口金４９を設けて、ゴム製などの開閉自在な栓である弁体５０を設けてもよいし、図１４に示すように、逆止弁４９ａを有する口金４９を連通孔４６（４７）に設けてもよい。【００５４】
（第３の実施の形態）
次に、第３の実施の形態の構成について説明する。なお、本実施の形態の説明においても、上述の第１の実施の形態または第２の実施の形態と同じ構成要素については同じ符号を用いてその詳細な説明を省略する。【００５５】
図１５は、第３の実施の形態のシリンダに挿入されたピストンの構成を示す断面図、図１６はシリンダ内に洗浄液が送液された状態を示す断面図である。【００５６】
図１５に示すように、ここでのピストン５１は、中心軸に沿って内部に形成された流路としてのチャンネル５６ａが貫通孔となっており、そのチャンネル５６ａ内にワイヤ４１が挿通されている。【００５７】
ワイヤ４１の基端は、コレットチャック６１により、ピストン５１の基端部分でキャップによって締め付けられることで固定されている。その他の構成は、第１の実施と同じである。【００５８】
図１６に示すように、キャップ２４が外されて、コレットチャック６１がピストン５１から取り出されると共に、ワイヤ４１が先端側から抜去された後、ピストン５１の接続端部５２にチューブ６０が接続される。【００５９】
そして、図示しないシリンジによって洗浄液Ｒがチャンネル５６ａ内に供給される。チャンネル５６ａ内に供給された洗浄液Ｒは、第１の実施の形態と同様に、連通路５６ｂに流れ、各開口部５５からピストン５１の外周部に流出する。また、洗浄液Ｒは、チャンネル５６ａの先端開口からシリンダ４５内にも流れる。【００６０】
そして、各開口部５５から流出した洗浄液Ｒは、先端側の摺動部５３とシリンダ４５の内面４５ａとの隙間に入り込み、第２の接触部であるＯリング５４によって長手軸基端方向への洗浄液Ｒの流れが止められることにより、第１の接触部である摺動部５３の摺動面５３ａ全体を洗浄しながらシリンダ４５内に流れる。このようにして、本実施の形態においても、摺動部５３の摺動面５３ａとシリンダ４５の内面４５ａとの間に洗浄液Ｒを通過させて洗浄することができる。【００６１】
このような構成としても、第１の実施の形態と同様の作用効果を有した構成とすることができ、シリンダ４５とのピストン５１の摺動部５３を容易に洗浄できる内視鏡１とすることができる。【００６２】
（第１の変形例）
図１７および図１８は、第１の変形例のシリンダ内に洗浄液が送液された状態を示す断面図である。  
摺動部５３の摺動面５３ａとシリンダ４５の内面４５ａとの間のクリアランスへ流入させる抵抗が大きいため、チャンネル５６ａから連通路５６ｂに洗浄液Ｒが流れやすいように、図１７に示すように、連通路５６ｂに先端側に拡がるようなテーパ面５６ｃを形成した分岐管路にしてもよいし、図１８に示すように、連通路５６ｂを先端側に拡がるように（ピストン５１の中心軸に直交する方向に対して大きく傾くように）傾斜させた分岐管路にしてもよい。【００６３】
また、チャンネル５６ａの孔径と、連通路５６ｂの孔径を調整して、連通路５６ｂ側により優先的に洗浄液Ｒが流れ易くなるようにしてもよい。【００６４】
（第２の変形例）
図１９は、第２の変形例のシリンダ内に洗浄液が送液された状態を示す断面図である。【００６５】
図１９に示すように、第２の接触部としての水密部材であるＯリング５４に変えて、先端側の第１の接触部である摺動部５３の摺動面５３ａに対して、所定の距離、例えば長手軸方向の基端側に離間する摺動部５７の摺動面５７ａを設けて、これら摺動部５３，５７の間に連通路５６ｂの開口部５５を設けた構成としてもよい。【００６６】
このような構成の場合、チャンネル５６ａ内に供給された洗浄液Ｒは、連通路５６ｂの開口部５５からピストン５１の外周部に流出し、摺動部５３の摺動面５３ａを洗浄してシリンダ４５内の先端側へ流れると共に、摺動部５７の摺動面５７ａを洗浄してシリンダ４５の基端側へ流れて外部に放出される。その他の構成および作用効果は、上述と同じである。【００６７】
（第３の変形例）
図２０は、第３の変形例のシリンダ内に洗浄液が送液された状態を示す断面図である。【００６８】
水密部材である第２の接触部としてのＯリング５４は、必ずしもピストン５１に設けられている必要はなく、図２０に示すように、シリンダ４５の内面４５ａ側に設けられた構成としてもよい。その他の構成および作用効果は、上述と同じである。【００６９】
なお、上記各実施の形態および各変形例では、内視鏡１の挿入部５の先端部８に設けられる方向変換部としての起上台４２を起伏するときに進退移動するワイヤ４１が接続されたピストン５１がシリンダ４５内で可動する構成を例示したが、このようなピストン機構である方向変換機構部は起上台４２を起伏する機構に用いられるとは限らない。【００７０】
限定されないが、例えば上記各実施の形態および各変形例に示すような構造を用いる対象としては、方向変換部としての湾曲部９などを湾曲する湾曲操作ワイヤと接続されている構成や、内視鏡先端の光学部材をワイヤにて動作させて画像を取得する際の光学的特性を変化させる構成や、内視鏡の挿入部に牽引ワイヤを挿通させてワイヤを牽引することにより硬度を変化させるための構成や、上記湾曲部９の湾曲可能な長さを切り替えるための機構を操作するワイヤを用いた構成等、各種構成にも適用されることが考えられる。【００７１】
以上に記載した各実施の形態および変形例の構成は、それぞれを組み合わせたものとしてもよく、その他、実施段階ではその要旨を逸脱しない範囲で種々の変形を実施し得ることが可能である。さらに、上記各実施の形態には、種々の段階の発明が含まれており、開示される複数の構成要件における適宜な組合せにより種々の発明が抽出され得るものである。【００７２】
例えば、各実施の形態に示される全構成要件から幾つかの構成要件が削除されても、述べられている課題が解決でき、述べられている効果が得られる場合には、この構成要件が削除された構成が発明として抽出され得るものである。【００７３】
本発明によれば、ワイヤなどが接続されるピストンとシリンダとの摺動部を容易に洗浄できる内視鏡を提供することができる。【００７４】
本出願は、２０１７年６月１３日に日本国に出願された特願２０１７−１１６２３２号を優先権主張の基礎として出願するものであり、上記の開示内容は、本願明細書、請求の範囲に引用されるものとする。
【図１】
0006741786.tif 000002
【図２】
0006741786.tif 000003
【図３】
0006741786.tif 000004
【図４】
0006741786.tif 000005
【図５】
0006741786.tif 000006
【図６】
0006741786.tif 000007
【図７】
0006741786.tif 000008
【図８】
0006741786.tif 000009
【図９】
0006741786.tif 000010
【図１０】
0006741786.tif 000011
【図１１】
0006741786.tif 000012
【図１２】
0006741786.tif 000013
【図１３】
0006741786.tif 000014
【図１４】
0006741786.tif 000015
【図１５】
0006741786.tif 000016
【図１６】
0006741786.tif 000017
【図１７】
0006741786.tif 000018
【図１８】
0006741786.tif 000019
【図１９】
0006741786.tif 000020
【図２０】
0006741786.tif 000021